(57)【要約】【課題】開封時において、開封口を構成する紙片をゴミとして全くださず、再封機能をも有している紙製の組箱を提供すること。【解決手段】上面視方形の筒状に形成され、対向する側壁面の、後側に上蓋及び差込み板を、前側に蓋フラップを、それぞれ設けてあり、前側の蓋フラップと繋がる前側壁面の上端部に押し込み式両開きの開封口に一部残留状態で縦方向に切り込みを入れると共に前記開封口のヒンジ部となる縦方向の押し罫を形成し、前記押し罫相互間の幅よりも大きな幅の切込みを、前側の蓋フラップの前側壁片との接続部分に設けると共に、前記切り込みから更に前記蓋フラップの奥側に向う切り込みを設けてある。【選択図】図１
2010143628.tif 000002
【特許請求の範囲】
【請求項１】
上面視方形の筒状に形成され、対向する側壁面の、後側に上蓋及び差込み板を、前側に蓋フラップを、それぞれ設けてあり、前側の蓋フラップと繋がる前側壁面の上端部に押し込み式両開きの開封口に一部残留状態で縦方向に切り込みを入れると共に前記開封口のヒンジ部となる縦方向の押し罫を形成し、前記押し罫相互間の幅よりも大きな幅の切込みを、前側の蓋フラップの前側壁片との接続部分に設けると共に、前記切り込みから更に前記蓋フラップの奥側に向う切り込みを設けてあることを特徴とする紙製の組箱。
【請求項２】
前記押し罫相互間幅よりも大きな幅の切込みに対して、差込み板は強制嵌入されるものであることを特徴とする請求項１記載の紙製の組箱。
【請求項３】
両開き開封口の下側ラインは山型形状に切り込むようにして構成してあり、前記山型の裾野の下方にはヒンジ部となる横方向の罫部分を形成してあることを特徴とする請求項１又は２記載の紙製の組箱。
【請求項４】
開封口を構成する一部残留の縦方向の切り込みは、上側部と下側部の僅かな範囲を除いた部分であることを特徴とする請求項１乃至３のいずれかに記載の紙製の組箱。
【発明の詳細な説明】
【技術分野】
【０００１】
この発明は、開封時において、開封口を構成する紙片をゴミとして出さない紙製の組箱を提供することを課題とする。
【背景技術】
【０００２】
近年の組箱は利便性の観点から、ジッパー開封やミシン刃と封緘シールを使用した開封口を多く見かける（例えば特許文献１、２）。
【０００３】
上記組箱の開封口では、開けたときに紙片が破断され、開封口の紙片がゴミとして発生したり、封緘シールにぶらぶらと付いた状態となり見栄えが悪かった。
【０００４】
したがって、この種の組箱を取り扱う業界では、開封時にゴミとして全く発生せず且つ開封後も見栄えが悪くならない組箱の開発に取りかかっているが、満足するものは存在していない。
【特許文献１】実用新案登録第３０１８５５２号
【特許文献２】特開２００３−４０２５３
【発明の開示】
【発明が解決しようとする課題】
【０００５】
そこで、この発明では、開封時において、開封口を構成する紙片をゴミとして全くださず、再封機能をも有している紙製の組箱を提供することを課題とする。
【課題を解決するための手段】
【０００６】
（請求項１記載の発明）
この発明の紙製の組箱は、上面視方形の筒状に形成され、対向する側壁面の、後側に上蓋及び差込み板を、前側に蓋フラップを、それぞれ設けてあり、前側の蓋フラップと繋がる前側壁面の上端部に押し込み式両開きの開封口に一部残留状態で縦方向に切り込みを入れると共に前記開封口のヒンジ部となる縦方向の押し罫を形成し、前記押し罫相互間の幅よりも大きな幅の切込みを、前側の蓋フラップの前側壁片との接続部分に設けると共に、前記切り込みから更に前記蓋フラップの奥側に向う切り込みを設けてある。
（請求項２記載の発明）
この発明は、上記請求項１記載の発明に関し、前記押し罫相互間幅よりも大きな幅の切込みに対して、差込み板は強制嵌入されるものである。
（請求項３記載の発明）
この発明は、上記請求項１又は２記載の発明に関し、両開き開封口の下側ラインは山型形状に切り込むようにして構成してあり、前記山型の裾野の下方にはヒンジ部となる横方向の罫部分を形成してある。
（請求項４記載の発明）
この発明は、上記請求項１乃至３のいずれかに記載の発明に関し、開封口を構成する一部残留の縦方向の切り込みは、上側部と下側部の僅かな範囲を除いた部分である。
【発明の効果】
【０００７】
この発明は上記のような構成であり、次の効果を有する。
【０００８】
この紙製の組箱によると、開封時において、開封口を構成する紙片をゴミとして、全くださず、再封機能をも有している。
【発明を実施するための最良の形態】
【０００９】
以下、この発明の紙製の組箱を実施するための最良の形態を、図面に基づいて詳細に説明する。
【実施例１】
【００１０】
図１は開封口を構成する紙片をゴミとして出さない紙製の組箱を斜め上部から見た上部側の斜視図、図２は前記紙製の組箱の展開図、図３〜図５はこの紙製の組箱を開放する順序を示す上部のみの斜視図、図６はこの紙製の組箱の上側を全て開放した状態を示す斜視図、図７及び図８はこの紙製の組箱を再封する態様を示す斜視図を示している。
（この実施例の紙製の組箱Ｈの基本的構成について）
この開封口５を構成する紙片をゴミとして出さない紙製の組箱Ｈ（以下、組箱Ｈという）は以下のように構成されている。
【００１１】
この実施例の組箱Ｈは、図１や図２に示すように、前側壁片１０、後側壁片１１、横側壁片１２、１３を縦折り畳み線２０〜２３で折って糊代片１４を介して上面視方形状に形成し、さらに、蓋フラップ４０、４４、４５と上蓋３及び差込み片３０を、横折り畳み線２５、２６、２７、２８で内側に折って差込み片３０を、切り込み４１に差し込むことにより当該組箱の上部は適正に形づけてある。
【００１２】
なお、この組箱Ｈの底部については、図２に示すように、前側壁片１０、横側壁片１１、後側壁片１２及び横側壁片１３の下縁に、それぞれ延設された四つの底フラップ６を組み合わせた所謂ロックボトム形式としてある。また、組箱Ｈの底部は自由に選択できる。
【００１３】
ここで、この組箱Ｈでは、図１や図２に示すように、対向する側壁面の、後側に上蓋３及び差込み板３０を、前側に蓋フラップ４０を、さらに左右に蓋フラップ４４、４５を、設けてあり、蓋フラップ４０と繋がる前側壁面１０の上端部に、押し込み式の両開き開封口５を形成する切り込み５４と、前記両開き開封口５のヒンジ部となる押し罫５０、５０、５３を形成してある。そして、図１、図２、図４、図５に示すように、前記押し罫５０、５０相互間幅よりも大きな幅の切り込み４１を前側壁片１０の上端に設けると共にこの切り込み４１から前記蓋フラップ４０の奥側に向いながら広がりその後狭く切り込まれる切り込み４２（特に図５に示す）を設け、さらに前記開封口５の極一部のみを結合させる接続部５１（切り込み５４の一部残留部分）を設けている。なお、この実施例では、切り込み５４の上下部に接続部５１が設けられている。
【００１４】
そして、この実施例においては、図１に示すように、両開き開封口５の中央部を上側に凹ませて、その凹んだ部分に山形形状部５５（切り込み５２によりなされる）が形成される態様となっている。
【００１５】
また、差込板３０の幅は、図１、図４、図５に示すように、切り込み４１の幅よりも少し大きな幅とし、差込板３０は切り込み４０に対して、強制嵌入されるようにしてある。これにより、不用意に上蓋３が開くようなことはなくなる。
（この実施例の紙製の組箱Ｈの開封について）
この組箱Ｈを開封する場合、以下のようにする。
（１）拇指を除く四指を上蓋３上に付け、拇指で開封口５を押圧する。すると、接続部５１、５１が破壊され、両開き開封口５が僅かに開くことになる。（図１〜図３の状態になる）。
（２）拇指を切り込み５４内に圧入していく。すると、拇指と他の四指力により、切り込み４２で形付けられた蓋フラップ４０部分（差込板３０と上蓋３で蓋フラップ４０の前縁部）がつままれた状態となる（図４参照）。
（３）（２）の状態から、拇指と他の四指力を上方に引き上げていくと、差込板３０と上蓋３でつままれていた蓋フラップ４０が外れ、開封が可能な状態になる。（図５参照）。
（４）上蓋３を奥側へ倒し、蓋フラップ４０を前側に倒し、さらに左右の蓋フラップ４４、４５を外側に倒すと、組箱の上部は完全開放状態になる（図６参照）。
（この実施例の紙製の組箱Ｈの再封について）
この組箱Ｈを再封する場合、図７や図８に示すような作業をする。
（１）左右の蓋フラップ４４、４５を内側に倒し、蓋フラップ４０を内側に倒し、上蓋３を奥側へ倒して、切り込み４１に差込板３０の先端を対向させる。
（２）切り込み４１に差込板３０の先端を差し込んでいく。この際、差込板３０の先端が山形形状部５５の外側に位置するように挿入する（図７参照）。
（３）さらに切り込み４１に差込板３０の先端を差し込んでいくと、切り込み４１に対して差込板３０が強制嵌入され、差込板３０の先端部が押し罫３２に当接した時点で、差込板３０は抜け止め状態となる。即ち、再封は完了する。
この再封は、特に切り込み４１に対して差込板が係合状態となっているので、不用意に抜けないものである。この実施例では差込み板３０と山形形状部５５との摩擦による係止力をも有している。
（その他の形態）
上記実施例１にかえて紙製の組箱Ｈを以下のようにすることができる。
（１）両開き開封口の下側ラインは山型形状に切り込むようにして構成してあり、前記山型の裾野の下方にはヒンジ部となる横方向の罫部分を形成してあるが、両開き開封口の下側ラインは山型形状に切り込むことは必須ではなく、この場合においても開封時におけるゴミを出さない効果、及び確実な再封機能は働くことになる。但し、下側ラインを山型形状に切り込むことで、開けやすくしている。
（２）上記実施例では、開封口を構成する一部残留の縦方向の切り込みをしない部分は、上側部と下側部としているが、これに限定されることは無い。すなわち開封口の中央部分のみを接続する構成としてもよい。
【図面の簡単な説明】
【００１６】
【図１】開封口を構成する紙片をゴミとして出さない紙製の組箱を斜め上部から見た上部側の斜視図。
【図２】前記紙製の組箱の展開図。
【図３】前記紙製の組箱を開放する順序１を示す上部のみの斜視図。
【図４】前記紙製の組箱を開放する順序２を示す上部のみの斜視図。
【図５】前記紙製の組箱を開放する順序３を示す上部のみの斜視図。
【図６】前記紙製の組箱の上側を全て開放した状態を示す斜視図。
【図７】前記紙製の組箱を再封する順序１を示す斜視図。
【図８】前記紙製の組箱を再封する順序２を示す斜視図。
【符号の説明】
【００１７】
Ｈ        組箱
１０      前側壁片
１１      横側壁片
１２      後側壁片
１３      横側壁片
１４      糊代片
２０      縦折り畳み線
２１      縦折り畳み線
２２      縦折り畳み線
２３      縦折り畳み線
２５      横折り畳み線
２６      縦折り畳み線
２７      横折り畳み線
２８      横折り畳み線
３        上蓋
３０      差込板
４０      蓋フラップ
４１      切り込み
４２      切り込み
５        開封口
５０      押し罫
５１      接続部
５２      切り込み
５３      押し罫  
５４      切り込み
５５      山形形状部
【図１】
2010143628.tif 000003
【図２】
2010143628.tif 000004
【図３】
2010143628.tif 000005
【図４】
2010143628.tif 000006
【図５】
2010143628.tif 000007
【図６】
2010143628.tif 000008
【図７】
2010143628.tif 000009
【図８】
2010143628.tif 000010